(57)【特許請求の範囲】
【請求項１】
正常な出力を制限する制限情報が設定されているコンテンツを構成する第１通信信号を第１通信形態によって受信する受信部と、
ユーザが入力操作を行う操作部と、
前記操作部から、前記制限を解除するための解除情報の送信が要求されると、前記解除情報を有する第２通信信号の送信要求の送信と、前記第２通信信号の受信とを、双方向に通信可能な第２通信形態によって行う送受信部と、
前記受信した解除情報が、前記制限情報と所定の対応関係にあるか否かを検出する対応関係検出部と、
前記所定の対応関係が検出されない場合には前記コンテンツの少なくとも一部を正常に出力せず、前記所定の対応関係が検出された場合には前記コンテンツを正常に出力する出力部とを備え、
前記第１通信信号は、前記第１通信信号が構成する前記コンテンツに対応した前記制限情報に対して前記所定の対応関係にある前記解除情報を得るための送信元を指定する送信元情報を含み、
前記送受信部は、前記第１通信信号に含まれる前記送信元情報を得て、前記送信元に対して、前記操作部から入力された前記コンテンツ毎の課金を徴収するための情報を含む前記第２通信信号の送信要求を送信し、前記送信元から前記解除情報からなる第２通信信号を受信する受信機。
【請求項２】
前記解除情報及びこれに対応する前記コンテンツを識別する識別情報とを、格納する格納部を更に備え、
前記格納部に格納された前記識別情報に対応する前記コンテンツを前記第１通信信号として受信し、かつ前記格納部に格納された前記解除情報と前記コンテンツに対応した前記制限情報とが前記所定の対応関係にある場合に、前記コンテンツを正常に出力する、請求項１記載の受信機。
【請求項３】
前記第１通信信号を蓄積する蓄積部を更に備える、請求項２に記載の受信機。
【請求項４】
前記蓄積部は、前記格納部に格納された前記識別情報に対応する前記コンテンツを前記第１通信信号として受信したことを条件として前記第１通信信号を蓄積する、請求項３記載の受信機。
【請求項５】
前記蓄積部は、前記格納部に格納された前記解除情報と前記コンテンツに対応した前記制限情報とが前記所定の対応関係にあることを更なる条件として前記第１通信信号を蓄積する、請求項４記載の受信機。
【請求項６】
前記第２通信信号の要求及び受信の際には、前記出力部は前記第２通信形態による通信が行われていることを示す、請求項１乃至請求項５のいずれか一つに記載の受信機。
【請求項７】
前記コンテンツは映像データを含む、請求項１乃至請求項５のいずれか一つに記載の受信機。
【請求項８】
前記コンテンツは音楽データを含む、請求項１乃至請求項５のいずれか一つに記載の受信機。
【請求項９】
前記コンテンツはプログラムデータを含む、請求項１乃至請求項５のいずれか一つに記載の受信機。
【請求項１０】
コンテンツの配信を行うために、ユーザが入力操作を行う操作部と、受信部と、送受信部と、対応関係検出部と、出力部とを備える受信機におけるコンテンツの配信方法であって、
前記受信部が、正常な出力を制限する制限情報が設定されているコンテンツを構成する第１通信信号を第１通信形態によって受信する受信ステップと、
前記送受信部が、前記操作部から、前記制限を解除するための解除情報の送信が要求されると、前記解除情報を有する第２通信信号の送信要求の送信と、前記第２通信信号の受信とを、双方向に通信可能な第２通信形態によって行う送受信ステップと、
前記対応関係検出部が、前記受信した解除情報が、前記制限情報と所定の対応関係にあるか否かを検出する対応関係検出ステップと、
前記出力部が、前記所定の対応関係が検出されない場合には前記コンテンツの少なくとも一部を正常に出力せず、前記所定の対応関係が検出された場合には前記コンテンツを正常に出力する出力ステップと
を有し、
前記第１通信信号は、前記第１通信信号が構成する前記コンテンツに対応した前記制限情報に対して前記所定の対応関係にある前記解除情報を得るための送信元を指定する送信元情報を含み、
前記送受信ステップは、前記第１通信信号に含まれる前記送信元情報を得て、前記送信元に対して、前記操作部から入力された前記コンテンツ毎の課金を徴収するための情報を含む前記第２通信信号の送信要求を送信し、前記送信元から前記解除情報からなる第２通信信号を受信するコンテンツの配信方法。
【発明の詳細な説明】
【０００１】
【発明の属する技術分野】
本発明は、第１及び第２通信形態、例えばインターネットとテレビジョン（以下「ＴＶ」と略すことあり）放送によるコンテンツ配信の双方を受信可能な受信機、及びこれを用いたコンテンツ配信方法に関する。
【０００２】
ここでコンテンツとは、デジタルであるかアナログであるかを問わず、これらの通信形態のうちの少なくとも一方において配信可能なデータを指す。
【０００３】
【従来の技術】
従来から、２つの通信形態によって配信されるコンテンツを出力する受信機が提案されている。図９はＴＶ放送とインターネットとの、いずれから配信される映像信号をも表示する表示部とを備えるテレビジョン受像機１０１の構成を例示するブロック図である。
【０００４】
ＴＶ放送信号はＴＶアンテナ１０２で受信され、ＴＶ受像機１０１のチューナ１１１に入力される。チューナ１１１は、ＲＯＭ１１６に格納された制御プログラムに基づいて動作するマイクロプロセッサ１１４の命令に従い、リモートコマンダ１０３より指定されたＴＶ放送チャンネルのＴＶ放送信号を受信し、音声信号と映像信号をビデオ／オーディオ選択回路１１３に出力する。また、チューナ１１１は、映像信号をＶＢＩ（Vertical Blanking Interval：垂直帰線消去期間）データスライサ１１２へと映像信号を入力する。ＶＢＩデータスライサ１１２は映像信号から、文字放送用の文字データ信号と、インターネット上でサービスを提供する所定のネットワークドメインのＵＲＬ（Uniform Resource Locators）情報を含む信号（以下単に「ＵＲＬデータ」と称す）とを抽出し、マイクロプロセッサ１１４に出力する。マイクロプロセッサ１１４は該ＵＲＬデータをＲＡＭ１１５に記憶する。
【０００５】
リモートコマンダ１０３からネットワークサービスを提供するアクセスポイントへの接続が指示されると、マイクロプロセッサ１１４はＲＡＭ１１５からＵＲＬデータを読み込み、所定のプロバイダに接続するための通信信号をデータモデム１１８に出力する。データモデム１１８はこの通信信号を電話回線に準拠した所定の周波数信号に変調し、モジュラージャック１０４を介して電話回線に出力する。
【０００６】
所定のネットワークサービスの提供元からのデータ信号は、プロバイダのマシンを経由して電話回線を介して伝送される。モジュラージャック１０４を介して入力されたデータ信号はデータモデム１１８において復調処理を受けた後、マイクロプロセッサ１１４に入力される。マイクロプロセッサ１１４は復調されたデータ信号を処理して映像データと音声データを生成する。そしてマイクロプロセッサ１１４は映像データ及び音声データを、それぞれビデオエンコーダ１１７及びオーディオエンコーダ１１９に出力する。
【０００７】
ビデオエンコーダ１１７は、マイクロプロセッサ１１４から入力された映像データをビデオ信号に変換してビデオ／オーディオ選択回路１１３に出力する。またオーディオエンコーダ１１９は、マイクロプロセッサ１１４から入力された音声データを音声信号に変換してビデオ／オーディオ選択回路１１３に出力する。
【０００８】
ビデオ／オーディオ選択回路１１３はチューナ１１１から入力される映像信号とビデオエンコーダ１１７から入力される映像信号のうち、どちらか一方または双方の映像信号を適宜採用し、ビデオ制御回路１２１に出力する。また、ビデオ／オーディオ選択回路１１３はチューナ１１１、またはオーディオエンコーダ１１９より入力される音声信号のうち、いずれか一方の音声信号を選択し、オーディオ信号増幅回路１２０に出力する。
【０００９】
ビデオ信号制御回路１２１は映像信号をＲＧＢ信号に変換し、ＲＧＢ信号増幅回路１２２に出力する。ビデオ信号制御回路１２１から出力されたＲＧＢ信号はＲＧＢ信号増幅回路１２２により増幅された後、ＣＲＴ１２３に出力される。またビデオ／オーディオ信号選択回路１１３から出力された音声信号は、オーディオ信号増幅回路１２０により増幅された後、スピーカ１２４に出力される。
【００１０】
以上のように構成されたテレビジョン受像機１０１は、ＴＶ映像信号の垂直帰線消去期間に多重化されたＵＲＬデータを抽出する。これによりユーザは、視聴しているＴＶ放送番組に関連したホームページをＣＲＴ上に表示するに際し、単にインターネットへの接続を指示する操作のみでネットワークサービスのＵＲＬに対応するアクセスポイントに接続することができ、複数の文字からなるＵＲＬを複数のキーを操作して入力する必要が無い。かかる技術は例えば特開平９ー１６２８１８号公報に紹介されている。
【００１１】
【発明が解決しようとする課題】
しかしＴＶ放送で配信される情報、典型的にはＴＶ放送番組は、基本的に一方的に配信される。これを有料とする場合には事前に契約が必要であったり、また契約をした場合であっても放送チャンネル毎の契約となり、情報（番組）毎に契約の有無を選択することが困難であるという問題があった。
【００１２】
本発明は、上記の事情に鑑みてなされたものであり、所定の通信形態で配信されるコンテンツをコンテンツ毎に課金できる受信機及びコンテンツ配信方法を提供することを目的とする。
【００１３】
【課題を解決するための手段】
この発明のうち第１の態様にかかるものは受信機であって、コンテンツを構成する第１通信信号を第１通信形態によって受信する受信部と、解除情報を有する第２通信信号の送信要求と、前記第２通信信号の受信とを、双方向に通信可能な第２通信形態によって行う送受信部と、前記解除情報が、前記コンテンツの正常な出力を制限する制限情報と所定の対応関係にあるか否か、を判断する対応関係検出部と、前記所定の対応関係が検出されない場合には前記コンテンツの少なくとも一部を正常に出力せず、前記所定の対応関係が検出された場合には前記コンテンツを正常に出力する出力部とを備える。
【００１４】
この発明のうち第２の態様にかかるものは、第１の態様にかかる受信機であって、前記第１通信信号は、前記第１通信信号が構成する前記コンテンツに対応した前記制限情報に対して前記所定の対応関係にある前記解除情報を得るための送信元を指定する送信元情報を含み、前記第１通信信号に含まれる前記送信元情報を得て、前記解除情報を含む第２通信信号を自動的に受信する。
【００１５】
この発明のうち第３の態様にかかるものは、第１の態様にかかる受信機であって、前記解除情報及びこれに対応する前記コンテンツを識別する識別情報とを、格納する格納部を更に備え、前記格納部に格納された前記識別情報に対応する前記コンテンツを前記第１通信信号として受信し、かつ前記格納部に格納された前記解除情報と前記コンテンツに対応した前記制限情報とが前記所定の対応関係にある場合に、前記コンテンツを正常に出力する。
【００１６】
この発明のうち第４の態様にかかるものは、第３の態様にかかる受信機であって、前記第１通信信号を蓄積する蓄積部を更に備える。
【００１７】
この発明のうち第５の態様にかかるものは、第４の態様にかかる受信機であって、前記蓄積部は、前記格納部に格納された前記識別情報に対応する前記コンテンツを前記第１通信信号として受信したことを条件として前記第１通信信号を蓄積する。
【００１８】
望ましくは前記蓄積部は、前記格納部に格納された前記解除情報と前記コンテンツに対応した前記制限情報とが前記所定の対応関係にあることを更なる条件として前記第１通信信号を蓄積する。
【００１９】
第１乃至第５の態様に置いて、例えば前記第１通信信号は、前記第１通信信号が構成する前記コンテンツに対応した前記制限情報を含む。
【００２０】
あるいは例えば前記第２通信信号の要求及び受信の際には、前記出力部は前記第２通信形態による通信が行われていることを示す。
【００２１】
あるいは例えば前記コンテンツは映像データを含んだり、音楽データを含んだり、プログラムデータを含んでもよい。
【００２２】
この発明のうち第６の態様にかかるものは解除情報の配信方法であって、解除情報を双方向に通信可能な第２通信形態において配信する。制限情報は第１通信形態において配信されるコンテンツの正常な出力を制限する。解除情報が制御情報に対して所定の対応関係にある場合に前記コンテンツが正常に出力可能である。
【００２３】
望ましくは、前記解除情報の配信は所定の要求に応じて行われる。
【００２４】
この発明のうち第７の態様にかかるものはコンテンツの配信方法であって、コンテンツを第１通信形態において配信する。制限情報は第１通信形態において配信されるコンテンツの正常な出力を制限する。そして解除情報が制限情報に対して所定の対応関係にある場合に前記コンテンツが正常に出力可能である。この第７の態様では、当該解除情報を得るための、双方向に通信可能な第２通信形態の送信元を指定する送信元情報が、コンテンツと共に配信される。
【００２５】
望ましくは、前記コンテンツに対応した前記制限情報と共に配信することを特徴とする。
【００２６】
【発明の実施の形態】
実施の形態１．
図１は本発明の実施の形態１にかかる受信機５１の構成を示すブロック図であるである。受信機５１は、第１通信形態であるＴＶ放送を受信するＴＶ放送受信部１と、第２通信形態であるインターネットとの送受信を行うインターネット接続部２とを備えている。
【００２７】
ＴＶ放送受信部１は地上波放送あるいは衛星から配信されてくる放送波をアンテナ７を経由して受信し、チューナー回路、検波回路等を採用して複合映像信号ＣＶを出力する。複合映像信号ＣＶは受信機５１の備える表示部３へ送られる。
【００２８】
複合映像信号ＣＶにはパスワード情報及びＵＲＬ情報が、例えば映像信号の垂直帰線消去期間において重畳されている場合がある。パスワード情報が重畳された複合映像信号ＣＶは、パスワード情報を制限情報とするコンテンツを構成する。表示部３は、制限情報に対して所定の対応関係を有する解除情報を用いない限り、制限情報を有したコンテンツを正常には表示しない。
【００２９】
図２は表示部３の画面３１を例示する図である。コンテンツを正常には表示しない場合には、例えば図２に示されるように「有料放送受信中」等の特定の画像が表示されたり、スクランブルが掛けられたりする。これにより、コンテンツが有料情報であることを受信機５１のユーザに認知させることが可能となる。
【００３０】
受信機５１はパスワード検出部１１を更に備えており、ここでは複合映像信号ＣＶからパスワード情報やＵＲＬ情報の検出処理が行われる。パスワード情報やＵＲＬ情報が検出された場合には、更に解読処理が行われ、それぞれパスワードデータＰＷ１やＵＲＬデータＵＤ１が得られる。パスワードデータＰＷ１及びＵＲＬデータＵＤ１はそれぞれ、受信機５１に備えられたパスワード一致検出部１３及びインターネット接続部２に与えられる。
【００３１】
インターネット接続部２は、パスワード検出部１１から送られてきたＵＲＬデータＵＤ１に基いて、モジュラージャック等の外部通信端８を介して所望のサイトへアクセスする。望ましくは、ＵＲＬデータＵＤ１の入力を契機としてインターネット接続部２が対応するサイトに自動的にアクセスし、操作を簡略化する。
【００３２】
なお、クライアントが操作部６を操作することによってＵＲＬデータＵＤ２を入力し、これに対応するサイトへアクセスして、当該サイトから解除情報を入手してもよい。この操作部６はユーザがＴＶ放送受信部１の制御、例えば放送チャンネルの変更を行う際にも用いることができる。
【００３３】
アクセスされたサイトの画面データはインターネット接続部２を介して表示信号生成部４に送られ、表示部３に表示するための信号に変換される。表示部３は表示信号生成部４から送られてきた信号に基き、情報提供者のサイトの画面を表示する。図３は表示部３の画面３１を例示する図であり、インターネットによる通信が行われていることを示す画面、例えば当該サイトのホームページが表示される。
【００３４】
ＵＲＬデータＵＤ１に対応するサイトには、解除情報を入手する方法が開示されている。例えば当該サイトのホームページに開示された方法に従って、クレジットカード番号や金融機関の口座番号、暗証番号を入力することにより、ＵＲＬデータＵＤ１を入手したコンテンツについてのパスワードデータ情報がインターネットによって配信される。換言すれば、サイトが課金を徴収するための入力を、受信機５１のユーザが行うことは、解除情報の送信を要求する送信処理と言える。
【００３５】
サイトから入手されたパスワードデータ情報はインターネット接続部２を介してパスワード抽出部１２に送られ、パスワードデータＰＷ２が抽出、解読される。パスワードデータＰＷ２はパスワード一致検出部１３へ送出される。パスワード一致検出部１３はパスワード抽出部１２から送られてきたパスワードデータＰＷ２とパスワード検出部１１から送られてきたパスワードデータＰＷ１とが所定の対応関係、例えば一致するかどうかを判断し、その結果を示す一致検出信号Ｄを表示部３へ送出する。
【００３６】
表示部３は一致検出信号Ｄを受け、それがパスワードデータＰＷ１，ＰＷ２間に所定の対応関係があることを意味していれば、コンテンツを正常に視聴できるように表示する。図４は表示部３の画面３１を例示する図である。コンテンツを正常に視聴できる場合には放送コンテンツが表示される。しかし、一致検出信号Ｄが、上記対応関係の存在を意味していなければ、図２に示された画面３１、あるいはスクランブルが掛けられた映像が表示される。
【００３７】
以上のように本実施の形態では、ＴＶ放送を使って配信されるコンテンツ毎に制限情報たるパスワードＰＷ１が重畳して設定され、制限情報と所定の対応関係にある解除情報たるパスワードＰＷ２をインターネットを通じて入手することで、上記コンテンツを正常に視聴することができる。そしてインターネットでは双方向通信が可能なため、解除情報を得るための操作において、上述のように課金徴収のデータを要求することができる。よって間接的にではあるが、コンテンツ毎の課金を容易であるという利点がある。つまり、コンテンツの正常な表示のための条件付けを容易にすることができる。
【００３８】
図５は、ＴＶ放送のコンテンツの配信元と、インターネットでの解除情報の配信元が同一である場合を示すブロック図である。情報提供システム６０はコンテンツ送出部６１を備えておりここからＴＶ放送のコンテンツが得られる。一方、情報提供システム６０はパスワード設定部６２も備えており、ここから制限情報及びこれと所定の対応関係にある解除情報とが得られる。
【００３９】
そして情報提供システム６０が備える多重化部６３において、ＴＶ放送のコンテンツと、制限情報となるパスワード（図１に則して言えばパスワードＰＷ１に相当）は多重化されてＴＶ放送設備９０へと与えられる。ＴＶ放送設備９０は例えば地上波放送あるいは衛星から配信されてくる放送であって、一方的にコンテンツを配信する。
【００４０】
情報提供システム６０は手続処理部６４をも備えており、ここではインターネットなどの通信網７０へと、解除情報となるパスワード（図１に則して言えばパスワードＰＷ２に相当）を配信する。
【００４１】
受信機５１はアンテナ７によってＴＶ放送コンテンツを受信し、また外部通信端８を介して通信網７０に接続する。
【００４２】
図６は情報提供システム６０の動作を示すフローチャートである。ステップＳ１において、制限情報及びこれと所定の対応関係にある解除情報とがパスワードとして設定される。そしてステップＳ２において所定のサイトを設定してアクセス可能に、例えばホームページを開設する。ＴＶ放送のための処理として、ステップＳ３において、ＴＶ放送用コンテンツに制限情報用のパスワードを重畳して送出する。
【００４３】
一方、ステップＳ４ではステップＳ２で設定したサイトにアクセスがあるか否かを検出する。アクセスが無ければその段階で待機し、アクセスがあればステップＳ５へ進んで課金手続がなされたか否かを判断する。課金手続がなされていれば、ステップＳ６において解除情報用のパスワードを配信する。
【００４４】
課金手続がなされない場合、及びパスワードを配信した場合、ステップＳ７に進んで、当該解除情報に対して所定の対応関係を有する制限情報が重畳されたＴＶ放送コンテンツが終了しているか否かが判断される。終了していればステップＳ８に進み、終了していなければステップＳ４へと戻る。
【００４５】
ＴＶ放送コンテンツが終了していれば、もはや解除情報の提供は不要であるので、ステップＳ８では解除情報の提供を終了する。例えばステップＳ２で開設されたホームページを閉鎖する。
【００４６】
本発明においてＴＶ放送のコンテンツの配信元と、インターネットでの解除情報の配信元が同一でなくてもよい。
【００４７】
実施の形態２．
図７は本発明の実施の形態２にかかる受信機５２の構成を示すブロック図であるである。受信機５２は、実施の形態１にかかる受信機５１の構成に対し、パスワード情報格納部１４を追加した構成を備えている。
【００４８】
受信機５２のユーザは、インターネットを通じて解除情報としてのパスワード情報を所定のサイトから入手しておく。入手したパスワード情報から得られるパスワードデータＰＷ２は、これと所定の対応関係にあるパスワードＰＷ１が重畳されたコンテンツ、例えばＴＶ放送番組を識別するためのデータコード（番組コード）ＧＣと共に、パスワード情報格納部１４に格納される。かかるデータコードＧＣも上記サイトから、例えばホームページを介して入手することができる。
【００４９】
パスワード検出部１１は、ＴＶ放送コンテンツを受信した際に、パスワードデータＰＷ１と共に、パスワードデータＰＷ１に対応したパスワード情報が重畳されたコンテンツのデータコードＧＣも検出し、パスワード一致検出部１３に送出する。パスワード一致検出部１３はパスワードデータＰＷ１とデータコードＧＣとを受け取ると、パスワード情報格納部１４にこのパスワードデータＰＷ１と所定の対応関係にあるパスワードデータＰＷ２及びデータコードＧＣに一致するものが格納されているかどうかの確認を行う。そして格納されていたか否かを示す一致検出信号Ｄを表示部３へ送出する。表示部３は一致検出信号Ｄの示す内容を判断し、ＴＶ放送信号受信部１から送られてくる映像信号を正常に表示するか否かを決定する。
【００５０】
このように予め解除情報を入手しておくことにより、ＴＶ放送信号受信部１がコンテンツを受信する毎に解除情報を入手する手続きをすること無く、表示部３にコンテンツを正常に表示することができる。
【００５１】
ＴＶ放送信号は一方的に配信され、その配信されるタイミングは送信側により一方的に決定される。従って、必要な情報を受信する毎に解除情報を入手する手続きをしていたのでは、必要な情報を入手し損ねる場合がある。しかし本実施の形態では解除情報を、対応するコンテンツの配信に先立って入手しているのでこの不具合の発生を防ぎ、適時にコンテンツを視聴することができる。
【００５２】
もちろん、ＴＶ放送に先立って予め解除情報を入手する際、課金手続を要求することができる。
【００５３】
実施の形態３．
図８は本発明の実施の形態３にかかる受信機５３の構成を示すブロック図である。受信機５３は、実施の形態２にかかる受信機５２の構成に対し、ストレージ部５を追加した構成を有している。ストレージ部５はＴＶ放送受信部１の出力を所定時間に亘って蓄積することができる。
【００５４】
実施の形態２と同様にして、パスワード情報格納部１４にはデータコードＧＣ及びパスワードデータＰＷ２が格納される。しかし、これらの取得は、これらに対応するＴＶ放送コンテンツの配信に先立って行われる必要は無い。ストレージ部５によって上記コンテンツの内容が受信機５３において蓄積されるからである。
【００５５】
従って受信機５３は、コンテンツが配信される時間に限定されること無く、その内容を正常に表示することができる。この場合、図６で示されたステップＳ８は設けられないことが望ましい。当該コンテンツを正常に表示させるか否かの判断を保留したまま、当該コンテンツをストレージ部５に蓄積したユーザが、当該コンテンツを正常に視聴した他者からの評判に依存して、解除情報の入手を希望する場合に対応するためである。
【００５６】
データコードＧＣ及びパスワードデータＰＷ２が、これらに対応するＴＶ放送コンテンツの配信に先立って取得される場合には、当該コンテンツのデータコードＧＣが一致したことにより、ストレージ部６に対してコンテンツの蓄積を開始させてもよい。これにより、情報のストレージ部への保存を自動的に行うことが可能となる。もちろん、当該コンテンツのパスワードデータＰＷ１と、格納されていたパスワードデータＰＷ２が所定の対応関係にあることをも、蓄積開始の条件としてもよい。
【００５７】
もちろん、ストレージ部５を受信機５３に一体とする必要は無く、別体として設けてもよい。
【００５８】
変形．
上記実施の形態１乃至実施の形態３のいずれにおいても、ＴＶ放送受信部１で受信されるコンテンツがＴＶ放送番組以外であってもよい。例えば、音楽データ、プログラムデータであってもよく、特にデジタル放送においてはデジタル情報として扱われる全ての情報が同様な方法により処理できる。
【００５９】
また、制限情報が重畳されたコンテンツの全体に対して正常な表示が阻まれる必要は無く、その一部が正常に表示されない場合にも本発明は適用できる。例えば、コンテンツがＴＶ放送番組であってストーリー性が高いものに対し、解除情報が与えられなければその終末のみ視聴が制限される態様、コンテンツが音楽データであって、その一部のみ聴取が制限される態様、も本発明に含まれる。
【００６０】
【発明の効果】
この発明のうち第１の態様にかかる受信機によれば、第１通信信号によって構成されるコンテンツの正常な出力を得るために必要な解除情報を有する第２通信信号の要求及び受信を、双方向に通信可能な第２通信形態によって行うので、第２通信信号を受信機が受信するに際して課金等の条件付けを行うことが容易となる。
【００６１】
この発明のうち第２の態様にかかる受信機によれば、解除情報を得るための操作を簡略化することができる。
【００６２】
この発明のうち第３の態様にかかる受信機によれば、予め解除情報を入手しておくことにより、コンテンツを受信する毎に解除情報を入手する手続きをすること無く、コンテンツを正常に出力することができる。
【００６３】
この発明のうち第４の態様にかかる受信機によれば、解除情報の取得を、これに対応するコンテンツの配信に先立って行われる必要が無い。
【００６４】
この発明のうち第５の態様にかかる受信機によれば、正常に出力可能なコンテンツを自動的に蓄積することができる。
【００６５】
この発明のうち第６の態様にかかる解除信号の配信方法、第７の態様にかかるコンテンツの配信方法によれば、コンテンツの正常な出力を得るために必要な解除情報の要求及び受信を、双方向に通信可能な第２通信形態によって行うので、解除情報の入手に際して課金等の条件付けを行うことが容易となる。
【図面の簡単な説明】
【図１】  本発明の実施の形態１にかかる受信機の構成を示すブロック図である。
【図２】  本発明の実施の形態１にかかる受信機の動作を示す図である。
【図３】  本発明の実施の形態１にかかる受信機の動作を示す図である。
【図４】  本発明の実施の形態１にかかる受信機の動作を示す図である。
【図５】  本発明の実施の形態１の一態様を示すブロック図である。
【図６】  本発明の実施の形態１の動作を示すフローチャートである。
【図７】  本発明の実施の形態２にかかる受信機の構成を示すブロック図である。
【図８】  本発明の実施の形態３にかかる受信機の構成を示すブロック図である。
【図９】  従来の技術の構成を例示するブロック図である。
【符号の説明】
１  ＴＶ放送受信部、２  インターネット接続部、３  表示部、５  ストレージ部、１１  パスワード検出部、１２  パスワード抽出部、１３  パスワード一致検出部、１４  パスワード情報格納部。
【図１】
0005068398.tif 000002
【図２】
0005068398.tif 000003
【図３】
0005068398.tif 000004
【図４】
0005068398.tif 000005
【図５】
0005068398.tif 000006
【図６】
0005068398.tif 000007
【図７】
0005068398.tif 000008
【図８】
0005068398.tif 000009
【図９】
0005068398.tif 000010